(57)【要約】      （修正有）【課題】例えばシンクを嵌め込むための開口部を形成する天板の周端部の破損、損傷を防止することが可能な天板構造を提供する。【解決手段】天板構造Ａは、上面から下面に貫通するシンク４を取り付けるための開口部３を有する天板１を備えるとともに、開口部３を形成する天板１の周端部１ａを被覆するように設けられる保護部材６を備える。【選択図】図２
2018044378.tif 000002
【特許請求の範囲】
【請求項１】
上面から下面に貫通する開口部を有する天板を備えるとともに、
前記開口部を形成する天板の周端部を被覆するように設けられる保護部材を備えていることを特徴とする天板構造。
【請求項２】
請求項１記載の天板構造において、
前記保護部材が、前記天板の周端部を被覆する保護部と、前記天板の下面側に配される介装部とを備えて形成されている天板構造。
【請求項３】
請求項１または請求項２に記載の天板構造において、
前記天板の周端部に面取り部が設けられ、該面取り部に前記保護部材が設けられている天板構造。
【請求項４】
請求項１から請求項３のいずれか一項に記載の天板構造において、
前記開口部がシンクを取り付けるための開口部であり、
前記天板の周端部を被覆した前記保護部材の表面と前記シンクの内側面とが滑らかに繋がるように前記保護部材が設けられている天板構造。
【発明の詳細な説明】
【技術分野】
【０００１】
本発明は、例えば流し台などの天板部の構造に関する。
【背景技術】
【０００２】
例えば、流し台、洗面化粧台、調理用作業台などは、平板状の天板と、天板の裏面に配設される平板状の天板側裏面補強材とを有する天板構造を備えて構成されている。また、一般に、天板が人工大理石、石材、セラミックなどで形成され、天板側裏面補強材が木材などで形成されている。
【０００３】
一方、流し台などの天板構造においては、天板及び天板側裏面補強材に、シンクなどを嵌め込んで取り付けるための開口部が貫通形成されている。
【０００４】
さらに、シンクの取付構造としては、例えば、略水平方向外側に突出してシンクの外周部に設けられたフランジ部を天板の開口部を形成する周端部の裏面側に重ね、天板側裏面補強材にビス留めするなどして取り付けたシンク固定金具でシンクのフランジ部を天板との間で挟持するように構成したものがある（例えば、特許文献１参照）。
【０００５】
また、この種のシンクの取付構造では、シンクのフランジ部に止水スペーサーを取り付けたり、天板側裏面補強材の端部と天板の裏面、シンクのフランジ部の裏面で囲まれた空間部分にホットメルトを充填して封止するなどして、シンクのフランジ部と天板の間の止水性を確保するようにしている。
【０００６】
さらに、天板の周端部に面取り加工を施すなどし、シンクのフランジ部の上面と、シンクを嵌め込む天板の開口部を形成する周端部との取合部の意匠性を高めるようにしている。
【先行技術文献】
【特許文献】
【０００７】
【特許文献１】特開２０１５−１１７４６３号公報
【発明の概要】
【発明が解決しようとする課題】
【０００８】
しかしながら、上記従来の天板構造／シンクの取付構造においては、天板の周端部の角部に物が当たって破損、損傷するおそれがあった。特に天板がセラミックや石材、ガラスなどの脆性的に破壊しやすい部材（脆性破壊部材）である場合には、面取り加工などによって薄肉化した天板の周端部に物品が当たって破損、損傷するおそれがあった。
【０００９】
本発明は、上記事情に鑑み、例えばシンクを嵌め込むための開口部を形成する天板の周端部の破損、損傷を防止することが可能な天板構造を提供することを目的とする。
【課題を解決するための手段】
【００１０】
上記の目的を達するために、この発明は以下の手段を提供している。
【００１１】
本発明の天板構造は、上面から下面に貫通する開口部を有する天板を備えるとともに、前記開口部を形成する天板の周端部を被覆するように設けられる保護部材を備えていることを特徴とする。
【００１２】
また、本発明の天板構造においては、前記保護部材が、前記天板の周端部を被覆する保護部と、前記天板の下面側に配される介装部とを備えて形成されていてもよい。
【００１３】
さらに、本発明の天板構造においては、前記天板の周端部に面取り部が設けられ、該面取り部に前記保護部材が設けられていてもよい。
【００１４】
また、本発明の天板構造においては、前記開口部がシンクを取り付けるための開口部であり、前記天板の周端部を被覆した前記保護部材の表面と前記シンクの内側面とが滑らかに繋がるように前記保護部材が設けられていることが望ましい。
【発明の効果】
【００１５】
本発明の天板構造によれば、例えば天板がセラミックや石材、ガラスなどの脆性的に破壊しやすい部材（脆性破壊部材）で形成されている場合であっても、保護部材が設けられていることで、天板の開口部を形成する周端部に破損、損傷が生じることを防止（抑止）できる。
【００１６】
また、天板の開口部を形成する周端部に保護部材を設けることにより、この部分の意匠性を保護部材によって高めることができ、従来のように面取り加工などを不要にすることも可能になる。
【図面の簡単な説明】
【００１７】
【図１】本発明の一実施形態に係る天板構造の平面図である。
【図２】図１のＸ１−Ｘ１線矢視図であり、本発明の一実施形態に係る天板構造の断面図である。
【図３】図１のＸ１−Ｘ１線矢視図であり、本発明の一実施形態に係る天板構造の斜視断面図である。
【図４】本発明の一実施形態に係る天板構造の変更例を示す斜視断面図である。
【図５】本発明の一実施形態に係る天板構造の変更例を示す斜視断面図である。
【図６】本発明の一実施形態に係る天板構造の変更例を示す斜視断面図である。
【発明を実施するための形態】
【００１８】
以下、図１から図６を参照し、本発明の一実施形態に係る天板構造について説明する。ここで、本実施形態では、本発明に係る天板構造がシステムキッチンなどの流し台の天板部の構造であるものとして説明を行う。なお、本発明に係る天板構造は、洗面化粧台、作業台、机など、流し台以外のあらゆる台の天板部の構造に適用可能である。
【００１９】
本実施形態のシステムキッチンなどの流し台は、例えば、台面を形成する天板部と、天板部の下方に設けられる引出しや食器洗浄機などの収納部とを備えて構成されている。
【００２０】
また、本実施形態の天板構造（天板部の構造）Ａは、図１及び図２に示すように、平板状の天板１と、天板１の裏面（下面）に一体に取り付けられる平板状の天板側裏面補強材２とを備えて構成されている。本実施形態の天板１はセラミック、石材などの脆性破壊部材を用いて形成され、天板側裏面補強材２は木材などで形成されている。
【００２１】
また、本実施形態の天板構造Ａにおいては、天板１及び天板側裏面補強材２が天板１の上面から天板側裏面補強材２の下面に貫通する開口部３を備えて形成されており、本実施形態では、この開口部３が例えばシンク４を嵌め込んで取り付けるためのシンク取付用の開口部とされている。
【００２２】
より具体的に、本実施形態の流し台では、シンクの取付構造Ｂによって天板１のシンク取付用の開口部３にステンレス製等のシンク４が嵌め込んで取り付けられている。
【００２３】
また、本実施形態のシンクの取付構造Ｂは、略水平方向外側に突出してシンク４の外周部に設けられたフランジ部４ａを天板１の開口部３を形成する周端部１ａの裏面側に重ね、天板側裏面補強材２にビス留めするなどして取り付けたシンク固定金具５でシンク４のフランジ部４ａを天板１との間で挟持するように構成されている。
【００２４】
一方、本実施形態の天板構造Ａでは、図１、図２、図３に示すように、開口部３を形成する天板１の周端部（周端面、小口部）１ａに例えば樹脂やホットメルトなどの保護部材６が一体に設けられている。なお、保護部材６の材質を特に限定する必要はない。
【００２５】
本実施形態では、天板１の周端面（１ａ）を被覆するように保護部材６が設けられるとともに、この保護部材６によって天板１の周端部（周端面）１ａとシンク４の内側面４ｂとが面一となって滑らかに繋がるように保護部材６が設けられている。
【００２６】
さらに、本実施形態では、保護部材６が天板１の周端面（１ａ）を被覆する保護部６ａと、天板１の裏面とシンク４のフランジ部の間に挟持されて介設される止水部（介装部）６ｂとを備えて断面略Ｌ字状に形成されている。なお、保護部６ａと止水部６ｂを別体として保護部材６が形成されていてもよい。
【００２７】
上記構成からなる本実施形態の天板構造Ａにおいては、天板１がセラミックや石材、ガラスなどの脆性的に破壊しやすい脆性破壊部材で形成されている場合であっても、天板１の周端部１ａに保護部材６が設けられていることにより、この部分に物が当たるなどしても破損、損傷を防止できる。
【００２８】
また、保護部材６によってこの部分の破損、損傷を防止できることで、天板１の周端部１ａに面取り加工などを施す必要がなくなり、天板１の加工数を減らすことができ、コストの低減を図ることも可能になる。
【００２９】
また、本実施形態の天板構造Ａにおいては、保護部材６で天板１の周端部１ａが被覆されることにより、さらに、保護部材６によって天板１の周端面１ａ（保護部材６の保護部６ａの表面）とシンク４の内側面４ｂを面一にして滑らかに繋がるように調整できるため、天板１の周端部１ａとシンク４のフランジ部４ａの取合部の意匠性を大幅に向上させることが可能になる。
【００３０】
また、本実施形態の天板構造Ａにおいては、保護部材６が天板１の周端部１ａを被覆する保護部６ａに加え、天板１とシンク４のフランジ部４ａの間に挟持される止水部６ｂを備えているため、止水部６ｂを天板１とシンク４のフランジ部４ａの間に介設するように天板構造Ａを組み付けるだけで、この部分の止水性を確保することが可能になる。すなわち、従来よりも容易に、優れた止水性能を付与することが可能になる。
【００３１】
以上、本発明に係る天板構造の一実施形態について説明したが、本発明は上記の一実施形態に限定されるものではなく、その趣旨を逸脱しない範囲で適宜変更可能である。
【００３２】
例えば、本実施形態では、保護部材６が保護部６ａと止水部６ｂを備えて断面Ｌ字状に形成されているものとしたが、図４に示すように、止水部６ｂを設けず、保護部材６を天板１の周端部１ａに取り付けてこの部分を保護するように構成してもよい。
【００３３】
また、図５、図６に示すように、天板１の周端部１ａに面取り部を設け、この面取り部に保護部材６を取り付けて構成してもよい。この場合においても、保護部材６による保護性能が得られ、天板１の周端部１ａの破損、損傷を防止できる。
【００３４】
さらに、本実施形態では、天板１がセラミック、石材などの脆性破壊部材を用いて形成されているものとしたが、保護部材６によって保護効果が得られれば、特に天板１の材質を限定する必要はない。また、天板側裏面補強材２においても、特に木材に限定する必要はない。さらに、シンクの取付構造Ｂの構成を本実施形態のように限定する必要もない。
【００３５】
また、既設の流し台などの台の天板部１に保護部材６を別途設けて本発明の天板構造Ａを構成し、既設の流し台などの台に対して天板１の周端部を保護するようにしてもよい。
【００３６】
さらに、本実施形態では、本発明に係る開口部３がシンク４を取り付けるための開口部であるものとして説明を行ったが、本発明は、天板１に形成されるあらゆる用途の開口部、この開口部３を形成する天板１の周端部１ａを保護するために適用可能である。
【００３７】
すなわち、本発明の天板構造Ａは、開口部３が形成された天板１と、天板１の開口部３を形成する周端部１ａを保護する保護部材６を備えていればよく、その他の構成について特に限定する必要はない。
【符号の説明】
【００３８】
１    天板
１ａ  周端部（周端面）
２    天板側裏面補強材
３    開口部
４    シンク
４ａ  フランジ部
４ｂ  内側面
５    シンク固定金具
６    保護部材
６ａ  保護部
６ｂ  止水部（介装部）
Ａ    天板構造
Ｔ１  上下方向
【図１】
2018044378.tif 000003
【図２】
2018044378.tif 000004
【図３】
2018044378.tif 000005
【図４】
2018044378.tif 000006
【図５】
2018044378.tif 000007
【図６】
2018044378.tif 000008